(57)【要約】【課題】イヤピースのハウジングに漏洩孔を設けなくても、低音域の音響特性を改善してフラットな周波数特性を得ることができ、デザインを損なうことなく、デザインの自由度が高いヘッドホンを得る。【解決手段】バッフル板１と、バッフル板１に取り付けられているドライバーユニット２と、バッフル板１の一面側に取り付けられてドライバーユニット２を覆うハウジング３を有してなるイヤピースを備えている。バッフル板１は、前部空気室６と後部空気室８を連通させる連通孔１１を有し、後部空気室８の空気を外部空間に漏洩させる漏洩孔１２と、前部空気室６を外部空間に漏洩させる第２漏洩孔１６を有している。【選択図】図１
2011087048.tif 000002
【特許請求の範囲】
【請求項１】
バッフル板と、このバッフル板に取り付けられているドライバーユニットと、上記バッフル板の一面側に取り付けられて上記ドライバーユニットを覆うハウジングを有してなるイヤピースを備えたヘッドホンであって、
上記バッフル板は、前部空気室と後部空気室を連通させる連通孔を有するとともに、後部空気室の空気を外部空間に漏洩させる漏洩孔を有しているヘッドホン。
【請求項２】
バッフル板と、このバッフル板に取り付けられているドライバーユニットと、上記バッフル板の一面側に取り付けられて上記ドライバーユニットを覆うハウジングを有してなるイヤピースを備えたヘッドホンであって、
上記バッフル板は、前部空気室と後部空気室を連通させる連通孔を有するとともに、後部空気室の空気を外部空間に漏洩させる漏洩孔と、上記前部空気室を外部空間に漏洩させる第２漏洩孔を有しているヘッドホン。
【請求項３】
バッフル板は外周部の前後にフランジを有し、前側フランジにはイヤパッドが固着されている請求項１または２記載のヘッドホン。
【請求項４】
バッフル板の後側フランジに漏洩孔が形成されている請求項１または２記載のヘッドホン。
【請求項５】
第２漏洩孔は、連通孔の側方にこの連通孔に続いて形成されている請求項２、３または４記載のヘッドホン。
【請求項６】
漏洩孔は、対向する前後のフランジ間に形成されている空間に後部空気室を連通させている請求項１または２記載のヘッドホン。
【請求項７】
第２漏洩孔は、対向する前後のフランジ間に形成されている空間に、連通孔を介して前部空気室を連通させている請求項２記載のヘッドホン。
【請求項８】
バッフル板の前面側には、連通孔と第２漏洩孔を塞ぐ音響抵抗材が貼り付けられている請求項２記載のヘッドホン。
【発明の詳細な説明】
【技術分野】
【０００１】
本発明は、一つの部品で音響特性を調整することができるようにして、簡単な構成でありながらフラットな周波数特性を得ることができる密閉型のヘッドホンに関するものである。
【背景技術】
【０００２】
音声信号によって駆動され音波を放出するドライバーユニットを内蔵するイヤピースを左右に対をなして備え、これらのイヤピースをヘッドバンドでつないだヘッドホンがある。かかる形態のヘッドホンにおける上記イヤピースは、一般的に、ドライバーユニットを取り付けたバッフル板と、バッフル板の前面側すなわちドライバーユニットによる放音面側に取り付けられたイヤパッドと、バッフル板の背面側に設けられてドライバーユニットを覆うハウジングを有してなる。かかる形態のヘッドホンは、ドライバーユニットがハウジングによってほぼ密閉された形になっているため、密閉型ヘッドホンといわれている。密閉型ヘッドホンには、イヤパッドがユーザーの耳に載せられる形式の耳載せ型と、イヤパッドがユーザーの耳の周囲を覆ってユーザーの両側頭部に接する形式の耳覆い型がある。
【０００３】
図４は、従来用いられている一般的な密閉型ヘッドホンのイヤピースの例を示す。図４において、符号１はバッフル板を示している。バッフル板１はドーナツ状に形成されていて、中心孔の周壁１３が円筒形に形成されている。この円筒形の周壁１３の内周にはドライバーユニット２が嵌め込まれてバッフル板１に固定されている。ドライバーユニット２は一般的にはダイナミック型で、フレームと、このフレームに固着されたヨーク、マグネット、ポールピースなどの磁気回路構成部材と、磁気回路中の磁気ギャップ内に配置されたボイスコイルと、このボイスコイルが固着されたダイヤフラム状の振動板などを有してなる。ドライバーユニット２の上記フレームの外周がバッフル板１の上記周壁１３の内周に嵌合されている。
【０００４】
バッフル板１の外周縁部には、前側フランジ１５と背面側フランジ１４が形成されている。前側フランジ１５にはドーナツ状に形成されたイヤパッド４が固着され、背面側フランジ１４の外周には、扁平なカップ状に形成されたハウジング３の開放端部の内周が嵌合されてバッフル板１に固着されている。ハウジング３はドライバーユニット２を覆っている。換言すれば、ドライバーユニット２はハウジング３内に内蔵されている。
【０００５】
バッフル板１には、バッフル板１を境にして前部空気室６と後ろ側のハウジング３で囲まれた後部空気室８を連通させ、ドライバーユニット２の振動板の動きを円滑にする連通孔１１が設けられている。また、ハウジング３には、主に低音域の音響特性を改善するために、ハウジング３の内側の空間すなわち後部空気室８をハウジング３の空間に連通させる空気漏洩孔３１が形成されている。空気漏洩孔３１は、ハウジング３の内側に貼り付けられた音響抵抗７によって塞がれ、上記後部空気室８と外部との空気の流れが音響抵抗材７によって制限されるようになっている。
【０００６】
以上説明したようなイヤピースの構成を備えた従来の密閉型ヘッドホンによれば、主として低音域の音響特性を改善するために、ハウジング３に漏洩孔３１を設けている。そのため、漏洩孔３１の存在がヘッドホンのデザインに影響を与え、デザインの自由度が制限されるとともに、外観を損ねる要因となっている。また、上記漏洩孔３１を設けることにより周波数特性において低音域が増強されるため、フラットな周波数特性を得るために漏洩孔３１を音響抵抗材７で覆っている。ハウジングに漏洩孔を設けなくても低音域の音響特性を改善することができ、かつ、音響抵抗材を用いなくてもフラットな周波数特性を得ることができることが望ましいが、従来の技術では達成できない。
【０００７】
なお、本発明に関連のある従来技術の例として、ハウジングの開口部分にダイヤフラムを設け、このダイヤフラムに接離可能な制動部材を設け、制動部材がダイヤフラムから離間している場合は、ドライバーユニットから放音される音波にしたがって振動することによりオープンエア型ヘッドホンとして機能し、制動部材をダイヤフラムに接触させると、ダイヤフラムを介する振動の伝達ができず、密閉型のヘッドホンとして用いることができるヘッドホンが知られている（特許文献１参照）。
【先行技術文献】
【特許文献】
【０００８】
【特許文献１】特開２００８−６６９７６号公報
【発明の概要】
【発明が解決しようとする課題】
【０００９】
本発明は、前記従来のヘッドホンの問題点を解消すること、すなわち、イヤピースのハウジングに漏洩孔を設けなくても、低音域の音響特性を改善してフラットな周波数特性を得ることができ、もって、デザインを損なうことなく、かつ、デザインの自由度が高いヘッドホンを提供することを目的とする。
【課題を解決するための手段】
【００１０】
本発明は、バッフル板と、このバッフル板に取り付けられているドライバーユニットと、上記バッフル板の一面側に取り付けられて上記ドライバーユニットを覆うハウジングを有してなるイヤピースを備えたヘッドホンであって、上記バッフル板は、前部空気室と後部空気室を連通させる連通孔を有するとともに、後部空気室の空気を外部空間に漏洩させる漏洩孔を有していることを最も主要な特徴とする。
【００１１】
本発明の別の態様は、バッフル板と、このバッフル板に取り付けられているドライバーユニットと、上記バッフル板の一面側に取り付けられて上記ドライバーユニットを覆うハウジングを有してなるイヤピースを備えたヘッドホンであって、上記バッフル板は、前部空気室と後部空気室を連通させる連通孔を有するとともに、後部空気室の空気を外部空間に漏洩させる漏洩孔と、上記前部空気室を外部空間に漏洩させる第２漏洩孔を有していることを特徴とする。
【発明の効果】
【００１２】
本発明によれば、バッフル板に設けられていて、後部空気室の空気を外部空間に漏洩させる漏洩孔が低音域の音響特性を改善しており、ハウジングに漏洩孔を設ける必要はない。したがって、ハウジングに漏洩孔を設けることを要因として外観が損なわれることはないし、デザイン上の自由度が高まる。
【００１３】
上記のようにバッフル板に漏洩孔を設けることによって、周波数特性において低音域が強調されすぎる傾向になるが、本発明の別の態様によれば、前部空気室を外部空間に漏洩させる第２漏洩孔を設けることによって、音響抵抗材を用いなくても、低音域をコントロールし、低音域から高音域までフラットな周波数特性を得ることができる。すなわち、バッフル板の構造を工夫することにより、音響抵抗材を使用することなく、音響特性をコントロールすることができる。もっとも、音響特性を微調整するために、連通孔と第２漏洩孔を塞ぐ音響抵抗材を補助的に貼り付けてもよい。
【図面の簡単な説明】
【００１４】
【図１】本発明に係るヘッドホンの第１実施例を示すイヤピースの断面図である。
【図２】本発明に係るヘッドホンの第２実施例を示すイヤピースの断面図である。
【図３】本発明の上記実施例の周波数特性を示すグラフである。
【図４】従来のヘッドホンの例を示すイヤピースイヤピースの断面図である。
【発明を実施するための形態】
【００１５】
以下、本発明に係るヘッドホンの実施例を、図面を参照しながら説明する。なお、図４に示す従来例の構成と同じ構成部分には共通の符号を付した。
【実施例１】
【００１６】
図１において、符号１はバッフル板を示している。バッフル板１はドーナツ状に形成されていて、中心孔の周壁１３が円筒形に形成されている。この円筒形の周壁１３の内周にはドライバーユニット２が嵌め込まれてバッフル板１に固定されている。ドライバーユニット２はダイナミック型で、フレームと、このフレームに固着されたヨーク、マグネット、ポールピースなどの磁気回路構成部材と、磁気回路中の磁気ギャップ内に配置されたボイスコイルと、このボイスコイルが固着されたダイヤフラム状の振動板などを有してなる。ドライバーユニット２の上記フレームの外周がバッフル板１の上記周壁１３の内周に嵌合されている。
【００１７】
バッフル板１の外周縁部には、前側フランジ１５と後側フランジ１４が形成されていて、前後のフランジ１５，１４は空間をおいて互いに対向している。前側フランジ１５にはドーナツ状に形成されたイヤパッド４が固着され、後側フランジ１４の外周には、扁平なカップ状に形成されたハウジング３の開放端部の内周が嵌合されてバッフル板１に固着されている。ハウジング３はドライバーユニット２を覆っている。換言すれば、ドライバーユニット２はハウジング３内に内蔵されている。ユーザーがヘッドホンを使用している状態では、イヤパッド４の前端がユーザーの側頭部に密着し、ユーザーの側頭部とイヤパッド４と、バッフル板１およびドライバーユニット２の前面とで囲まれて前部空気室６が形成される。
【００１８】
バッフル板１には、バッフル板１を境にして前部空気室６と後ろ側のハウジング３で囲まれた後部空気室８を連通させ、ドライバーユニット２の振動板の動きを円滑にする連通孔１１が設けられている。また、バッフル板１の後側フランジ１４には、主に低音域の音響特性を改善するために、ハウジング３の内側の空間すなわち後部空気室８を外部空間に連通させる漏洩孔１２が形成されている。より正確には、漏洩孔１２は、バッフル板１の互いに対向する前後のフランジ１５，１４間に形成されている空間に後部空気室８を連通させている。バッフル板１には、連通孔１１を塞ぐ音響抵抗材５を適宜貼り付けることができ、この音響抵抗材５の抵抗値を適宜調整してもよい。
【００１９】
以上説明した第１実施例によれば、前部空気室６が、バッフル板１の連通孔１１、前部空気室８、バッフル板１の後側フランジ１４の漏洩孔１２を介して外部空間に連通し、上記漏洩孔１２が、前記従来例のハウジング３に設けた漏洩孔３１と同様に、低音域の音響特性を改善する。バッフル板１の漏洩孔１２は、バッフル板１の前後のフランジ１５，１４の対向面に形成されていて、外観上目立たない位置にある。したがって、ハウジング３に漏洩孔を設ける必要がなく、ハウジング３に漏洩孔を設けることによる外観上の不具合や、デザインの自由度が制限されるといった不具合を解消することができる。
【実施例２】
【００２０】
次に、図２に示す本発明の第２実施例について説明する。第２実施例は、第１実施例に構成を付加したものであるから、同じ構成部分の説明は簡略化し、付加した構成を重点的に説明する。
【００２１】
図２において、前後のフランジ１５，１４、連通孔１１、漏洩孔１２を有するバッフル板１は、上記漏洩孔１２を第１漏洩孔とすると、前部空気室６を外部空間に漏洩させる第２漏洩孔１６が、連通孔１１の側方にこの連通孔１１に続いて形成されている。第２漏洩孔１６は、対向する前後のフランジ１５，１４間に形成されている外部空間に、連通孔１１を介して前部空気室６を連通させている。バッフル板１の前面側には、連通孔１１と第２漏洩孔１６を塞ぐ音響抵抗材５が貼り付けられている。
【００２２】
以上説明した第２実施例によれば、バッフル板１が第１漏洩孔１２を有していることにより、前述のとおり、外観を損なうことなく、また、デザインの自由度を高めながら低音域の音響特性を改善することができる。この低音域の音響特性改善によって低音域が強調されすぎる傾向になるので、第２実施例では、前部空気室６を外部空間に漏洩させる第２漏洩孔１６をバッフル板１に設けた。第２漏洩孔１６を設けることによって低音域をコントロールすることになるので、音響抵抗材を用いなくても、全音域においてフラットでバランスのよい周波数特性を得ることができる。図２に示す実施例において用いている音響抵抗材５は補助的なもので、第２漏洩孔１６による低音域のコントロール作用が足りない場合に音響抵抗材５を貼り付け、あるいはその抵抗値を適宜設定する。
【００２３】
図３は、本発明の上記実施例の周波数特性を示すもので、実線は第１実施例の、点線は第２実施例の周波数特性を示す。いずれもＥＩＡＪの規格に沿って測定した。第１実施例によれば、低音域の音響特性が改善されていることが明確であるが、低音域が強調されすぎていて全体のバランスがよくない。その点、第２実施例によれば、第１実施例の構成によって強調された低音域が適度に抑制され、全体としてバランスのよい周波数特性になっている。
【産業上の利用可能性】
【００２４】
本発明に係るヘッドホンは、第１実施例のような構成と第２実施例のような構成によって、低音域の再生レベルに違いが見られる。ユーザーによって、低音域が強調された再生音が望まれる場合と、全音域において周波数特性がフラットな再生音が望まれる場合があるので、ユーザーの望みを満たすように、適宜設計変更して実施することも可能であり、第１実施例のような構成のものと第２実施例のような構成のものどちらかを市販してもよい。
【符号の説明】
【００２５】
１    バッフル板
２    ドライバーユニット
３    ハウジング
４    イヤパッド
５    音響抵抗材
６    前部気室
８    後部気室
１１    連通孔
１２    第１漏洩孔
１６    第２漏洩孔
【図１】
2011087048.tif 000003
【図２】
2011087048.tif 000004
【図３】
2011087048.tif 000005
【図４】
2011087048.tif 000006